(57)【要約】【課題】カップホルダにおいて、使用時にはトレーの脱落を防止する一方、非使用時にはユーザが特別な操作を必要とすることなくトレーを容易に取り外せるようにする。【解決手段】カップホルダ１が、ケース２に出し入れ自在のトレー３と、トレーの脱落を防止する係止部材５１および係止保持部材５２と、飲料容器Ｄ１，Ｄ２を支持し、トレーに隣接した待機位置とトレーから下方に離反した容器保持位置との間を変位する受け部材３５と、受け部材をトレーに相対変位自在に連結する回動アーム３６と、受け部材を待機位置側へ付勢する圧縮コイルばね５３とを備え、係止部材は、ケースに係止されるとともに、その係止の解除方向に弾性変形可能であり、係止保持部材は、受け部材が容器保持位置に変位する際に、係止部材の弾性変形を阻止する位置に移動する一方、受け部材が待機位置に変位する際に、弾性変形を許容する位置に移動する構成とする。【選択図】図１
2010012888.tif 000002
【特許請求の範囲】
【請求項１】
ベースハウジングと、
前記ベースハウジングに保持され、当該ベースハウジングに収容された収容位置と当該ベースハウジングから引き出された使用位置との間を移動するトレーと、
前記使用位置にあるトレーの前記ベースハウジングからの脱落を防止する脱落防止機構と、
飲料容器の下部の支持に供され、前記トレーに隣接した待機位置と当該トレーから下方に離反した容器保持位置との間を変位する受け部材と、
回動軸を中心に回動自在に設けられ、前記受け部材を前記トレーに対して相対変位自在に連結する回動アームと、
前記受け部材を前記待機位置へ移動させる付勢力を発生する付勢部材と
を備えたカップホルダであって、
前記脱落防止機構は、前記ベースハウジングに係止される係止片を有する係止部材と、前記回動アームに連結されるとともに当該回動アームの回動に伴って移動する係止保持部材とを有し、
前記係止部材は、前記ベースハウジングに対する前記係止片の係止を解除する方向に弾性変形可能であり、
前記係止保持部材は、前記受け部材が前記容器保持位置に変位する際に、前記係止部材に当接して前記弾性変形を阻止する係止保持位置に移動する一方、前記受け部材が前記待機位置に変位する際に、前記当接を解除して前記弾性変形を許容する係止解除位置に移動することを特徴とするカップホルダ。
【請求項２】
前記飲料容器の側部の支持に供され、前記回動アームに連結されるとともに当該回動アームの回動に伴って移動する側方支持部材を更に備え、
前記側方支持部材は、前記受け部材の前記容器保持位置への変位に連動して前記飲料容器に当接する方向に移動するとともに、前記受け部材の前記待機位置への変位に連動して前記飲料容器から離反する方向に移動することを特徴とする、請求項１に記載のカップホルダ。
【請求項３】
前記係止保持部材は、前記回動アームの回動軸が係合するガイド溝を有し、
前記回動アームは、前記回動軸と前記ガイド溝との係合位置の変化により、前記トレーに対する角度が変化し、
前記受け部材は、前記回動アームの角度変化により、前記容器保持位置が前記飲料容器の高さ方向に変位することを特徴とする、請求項１または請求項２に記載のカップホルダ。
【発明の詳細な説明】
【技術分野】
【０００１】
本発明は、飲料容器を保持するカップホルダに関し、特に、トレーのベースハウジングからトレーを取り外し可能なカップホルダに関する。
【背景技術】
【０００２】
自動車に設置されるカップホルダとして、車室内のインストルメントパネル等に設置されたベースハウジングに対して、飲料容器を支持するトレーが出し入れ自在に保持されるものが普及している。トレーは、使用時にはベースハウジングから引き出される一方、非使用時には邪魔にならないようにベースハウジングに収容される。この種のカップホルダとして、例えば、飲料容器の高さに応じて飲料容器の受板の高さを調節可能とする高さ可変手段を備え、異なる高さの飲料容器を安定的に保持可能としたもの（特許文献１参照）や、飲料容器の支持部材の上下移動と連動して飲料容器の外周面の押圧またはその解除を行う保持部を備え、異なる外径の飲料容器を安定的に保持可能としたもの（特許文献２参照）が知られている。
【０００３】
上記カップホルダでは、零れた飲料等によってトレーが汚れた場合などにその清掃を容易とするために、ベースハウジングからトレーを取り外し可能な構成を採用したものが存在する。例えば、スプリングにより容器保持位置側に付勢されたトレーと、容器保持位置のトレーに対して起立または伏倒するように設けられ、飲料容器が挿入される孔を有するホルダとを備えたカップホルダであって、トレーの後端部分に設けられ、収容ケース（ベースハウジング）に係合する弾性変形可能な係合片と、この係合片の弾性変形を可能とする位置と弾性変形を不可能とする位置との間を移動可能なストッパ部材と、ホルダの伏倒動作に連動して変位することで、ストッパ部材を移動させて係合片の弾性変形を可能にさせる解除片とを備えたものが知られている（特許文献３参照）。
【特許文献１】実用新案登録第２５３７２６号公報
【特許文献２】実開平２−２１０５６号公報
【特許文献３】特開２００６−３６１７０号公報
【発明の開示】
【発明が解決しようとする課題】
【０００４】
上記特許文献３に記載された従来技術では、トレーを取り外し可能とする（即ち、係合片の弾性変形を可能とする）ためには、ユーザはホルダを伏倒させる操作が必要となる。従って、トレーの取り外し方法を知らないユーザが、誤ってホルダを伏倒させずにトレーを引き抜こうとした場合には、トレーの係合片やケースの一部が破損するおそれがあった。また、上記特許文献３の従来技術は、異なる外径の飲料容器に対応可能な構成を有していないが、トレーを取り外し可能な構成を有するカップホルダにおいても、上記特許文献２の従来技術のような異なる外径の飲料容器を安定的に保持する構成が望まれる。
【０００５】
本発明は、このような従来技術の課題を鑑みて案出されたものであり、使用時にはベースハウジングからのトレーの脱落が防止される一方、非使用時にはユーザが特別な操作を必要とすることなくトレーを容易に取り外すことができるカップホルダを提供することを目的とする。
【課題を解決するための手段】
【０００６】
上記課題を解決するためになされた第１の発明は、ベースハウジング（２）と、前記ベースハウジングに保持され、当該ベースハウジングに収容された収容位置と当該ベースハウジングから引き出された使用位置との間を移動するトレー（３）と、前記使用位置にあるトレーの前記ベースハウジングからの脱落を防止する脱落防止機構（５１，５２）と、飲料容器の下部の支持に供され、前記トレーに隣接した待機位置と当該トレーから下方に離反した容器保持位置との間を変位する受け部材（３５）と、回動軸を中心に回動自在に設けられ、前記受け部材を前記トレーに対して相対変位自在に連結する回動アーム（３６）と、前記受け部材を前記待機位置へ移動させる付勢力を発生する付勢部材（５３）とを備えたカップホルダ（１）であって、前記脱落防止機構は、前記ベースハウジングに係止される係止片（５５）を有する係止部材（５１）と、前記回動アームに連結されるとともに当該回動アームの回動に伴って移動する係止保持部材（５２）とを有し、前記係止部材は、前記ベースハウジングに対する前記係止片の係止を解除する方向に弾性変形可能であり、前記係止保持部材は、前記受け部材が前記容器保持位置に変位する際に、前記係止部材に当接して前記弾性変形を阻止する係止保持位置に移動する一方、前記受け部材が前記待機位置に変位する際に、前記当接を解除して前記弾性変形を許容する係止解除位置に移動する構成とする。
【０００７】
上記課題を解決するためになされた第２の発明として、前記飲料容器の側部の支持に供され、前記回動アームに連結されるとともに当該回動アームの回動に伴って移動する側方支持部材（６１）を更に備え、前記側方支持部材は、前記受け部材の前記容器保持位置への変位に連動して前記飲料容器に当接する方向に移動するとともに、前記受け部材の前記待機位置への変位に連動して前記飲料容器から離反する方向に移動する構成とすることができる。
【０００８】
上記課題を解決するためになされた第３の発明は、前記係止保持部材は、前記回動アームの回動軸が係合するガイド溝（４６）を有し、前記回動アームは、前記回動軸と前記ガイド溝との係合位置の変化により、前記トレーに対する角度が変化し、前記受け部材は、前記回動アームの角度変化により、前記容器保持位置が前記飲料容器の高さ方向に変位する構成とする。
【発明の効果】
【０００９】
上記第１の発明によれば、受け部材が容器保持位置にある場合には、係止保持位置にある係止保持部材が係止部材とケースとの係止を保持する一方、受け部材が待機位置にある場合には、係止保持部材は係止解除位置にあって係止部材とケースとの係止が解除可能となるため、使用時にはベースハウジングからのトレーの脱落を防止する一方、非使用時にはユーザは特別な操作を必要とすることなくトレーを容易に取り外すことが可能となる。
【００１０】
上記第２の発明によれば、使用時には飲料容器の外径にかかわらず飲料容器を安定的に保持可能となるとともに、非使用時にはユーザは特別な操作を必要とすることなくトレーを容易に取り外すことが可能となる。
【００１１】
上記第３の発明によれば、使用時には飲料容器の高さにかかわらず飲料容器を安定的に保持可能となるとともに、非使用時にはユーザは特別な操作を必要とすることなくトレーを容易に取り外すことが可能となる。
【発明を実施するための最良の形態】
【００１２】
以下、本発明の実施の形態について図面を参照しながら説明する。以下では、特に断り書きのない限り、方向を示す用語「前」，「後」は、カップホルダのケースからトレーが引き出される方向およびその反対方向を指し、「後」から「前」に向かって「左」，「右」を定めるものとする。また、方向を示す用語「上」，「下」は、カップホルダに保持される飲料容器（図１，図２参照）を基準に定めるものとする。
【００１３】
図１および図２は本発明に係るカップホルダの使用状態を示す斜視図であり、図３はカップホルダの要部の分解斜視図であり、図４は図２の使用状態にあるカップホルダにおける支持リンク機構の斜視図である。
【００１４】
カップホルダ１は、合成樹脂製のケース２と、ケース２の前部開口２ａから出し入れ自在に設けられ、ケース２内に収容された収容位置（図示せず）とケース２から外部に引き出された使用位置（図１，図２参照）との間を移動する合成樹脂製のトレー３と、使用位置にあるトレー３から下方に展開して飲料容器（互いに外径の異なる細缶Ｄ１，太缶Ｄ２）を支持する支持リンク機構４とを備えている。
【００１５】
ケース２の左右には、カップホルダ１を図示しない設置対象（例えば、車室内のインストルメントパネル）に対してボルト締結するためのボルト孔１１を有する取付部１２が設けられている。
【００１６】
トレー３には、飲料容器の保持開口１５が設けられており、また、その前端には、収容位置においてケース２の前部開口２ａを塞ぐ前扉１６が設けられている。トレー３の後部には、コンストンばね（渦巻き形の定荷重ばね）１７（図３参照）の軸を保持するばね保持部１８が設けられている。コンストンばね１７の先端部１７ａはケース２前部の所定位置に固定されており、トレー３が収容位置側に移動するとコンストンばね１７が引き出され、これにより、トレー３が使用位置側に付勢される。また、トレー３の後部にはハートカム２０が設けられている。ユーザがトレー３を収容位置まで押し込むと、ケース２に取り付けられたピン２１がハートカム２０と係合し、これにより、トレー３が収容位置でケース２に係止される。ユーザが収容位置にあるトレー３を更に後方に押し込むと、ピン２１とハートカム２０との係合が解除されてコンストンばね１７が巻き取られ、その付勢力によりトレー３が使用位置まで引き出される。
【００１７】
トレー３には、ダンパ２５を保持するためのダンパ保持部２６が設けられている。トレー３が収容位置から使用位置へと移動する際には、ダンパ２５の上部に設けられた歯車２７が、ケース２において前後方向に延設されたラック２８に噛合し、これにより、トレー３が引き出される際の移動速度が緩和される。また、トレー３の中央付近には、プッシュアーム３１の軸を回動自在に保持するプッシュアーム保持部３２が設けられている。プッシュアーム３１には、その左側の軸に周方向に所定ピッチで歯部３３が設けられている。この歯部３３が支持リンク機構４に設けられた同形の歯部３４と噛合することにより、プッシュアーム３１は支持リンク機構４の動きに連動して回動する。
【００１８】
支持リンク機構４は、図４にも示すように、トレー３の保持開口１５に挿入された飲料容器の下部の支持に供される受け部材３５を有している。受け部材３５は、トレー３に隣接した待機位置（図６Ａ参照）とトレー３から下方に離反した容器保持位置（図６Ｂ，図６Ｃ参照）との間を変位する。受け部材３５は、その両側壁に設けられた軸（図示せず）を、回動アーム３６内部に設けられた保持機構（図示せず）によって保持されており、回動アーム３６の傾斜角度に関わらず常に略水平に維持される。
【００１９】
回動アーム３６は、飲料容器の側部から後方側を保持するＵ字状部３６ａを有しており、その後側の左右側部には、トレー３のアーム保持部３７に回動自在に保持される回動軸３８が設けられている。また、回動アーム３６の左右後端には摺動アーム３９との接続部４１が設けられている。これら接続部４１は、図５にも示すように、平行に配置された一対の接続片４２と、各接続片４２の内側に突出する一対のボス４３とから構成されている。ボス４３は、各摺動アーム３９の前端の接続部４５の左右に設けられた一対のガイド溝４６と係合し、これにより、回動アーム３６の回動（傾斜）動作がガイドされる。
【００２０】
摺動アーム３９の後部には係止保持部材５２が設けられており、この係止保持部材５２はトレー３の左右後部の収容部５０に収容される係止部材５１とともにトレー３の脱落防止機構を構成する。係止保持部材５２はそのハウジングをなす係止部材５１に前後方向に摺動可能に収容されている。係止保持部材５２の内部には摺動アーム３９を後方に付勢する圧縮コイルばね５３が収容されている。圧縮コイルばね５３は、その前端がトレー３に設けられた図示しないばね固定壁に連結される一方、その後端が係止保持部材に設けられた図示しないばね固定壁に連結されている。係止部材５１の上壁には、上方に突出する係止片５５が設けられており、この係止片５５がケース２の上部開口５６に係止されることで、使用位置にあるトレー３のケース２からの脱落が防止される。係止片５５は、その左右にスリット５７（図３参照）が設けられることにより、上下方向に弾性変形可能となっている。詳細は後述するが、係止保持部材５２の前端には、上方に突出する係止保持片５８が設けられており、この係止保持片５８が係止片５５と係合することで係止片５５と上部開口５６との係止が安定的に保持される一方、その係合が解除されることで、係止片５５と上部開口５６との係止が解除可能となる。
【００２１】
また、支持リンク機構４は飲料容器の側部（周面）の支持に供されるフラップ６１を有している。フラップ６１は連結片６２を介して回動アーム３６に連結される。連結片６２は、回動アーム３６内部に設けられた保持機構（図示せず）によって後端が保持されており、回動アーム３６が水平状態にある場合にはその上部に重なり、回動アーム３６が下方に傾斜するように回動するのに反して、上方に傾斜するように回動する。これにより、フラップ６１は、受け部材３５の容器保持位置（図６Ｂ，図６Ｃ参照）への変位に連動して飲料容器の方向に変位し、飲料容器の前周面に当接するとともに、受け部材３５の待機位置（図６Ａ参照）への変位に連動して飲料容器から離反する方向に移動する。フラップ６１は、連結片６２の傾斜角度に関わらず常に略水平に保持される。
【００２２】
上記構成のカップホルダ１において、トレー３が使用位置にあり、かつ飲料容器が保持されている場合には、上述のように、脱落防止機構によりトレー３のケース２からの脱落が防止される。その一方で、トレー３が使用位置にあり、かつ飲料容器が保持されていない場合には、ユーザは、使用位置にあるトレー３を更に前方に引き出すことで、トレー３をケース２から容易に取り外すことが可能となる。
【００２３】
次に、トレー３の取り外し動作を含めたカップホルダ１の動作の詳細について説明する。
【００２４】
図６Ａ〜Ｃはカップホルダ１の支持リンク機構４の動作を示す側面図であり、図７Ａ〜Ｃは図６Ａ〜Ｃにそれぞれ対応する脱落防止機構の動作を示す断面図である。
【００２５】
カップホルダ１に飲料容器が保持される際には（図１，図２参照）、受け部材３５が飲料容器の重量を受けることで、回動アーム３６が圧縮コイルばね５３の付勢力に抗して回動し、図６Ａに示す水平状態（初期状態）から図６Ｂまたは図６Ｃに示す傾斜状態に移行する。このとき、回動アーム３６の回動は、そのボス４３と係合する摺動アーム３９のガイド溝４６によってガイドされる。ガイド溝４６は、図７Ａ〜Ｃにも示すように、略弓状をなすように湾曲し、その前壁４６ａには、後壁４６ｂ側に突出して、ボス４３の外周面形状に対応する凹状の頂部を有する段部７１が設けられている。
【００２６】
カップホルダ１に太缶Ｄ２が保持される際には、図７Ｂに示すように、ガイド溝４６に係合するボス４３は図７Ａにおける最下部から上方へ移動し、ボス４３が段部７１に嵌合する。これにより、回動アーム３６の傾斜角度が適切な位置に保持される。また、ボス４３が段部７１に嵌合することでラチェット音（カチッという音）が発生し、この音によりユーザは回動アーム３６が適正な位置に保持されたことを確認することができる。このとき、摺動アーム３９は、ガイド溝４６とボス４３との係合により、図７Ａにおける初期位置から圧縮コイルばね５３の後方への付勢力に抗して係止保持位置まで前方に移動する。これにより、係止部材５１の係止片５５の背面側（下側）に設けられた凸部７５に係止保持片５８が部分的に当接することで、係止片５５の下方への弾性変形が阻止され、係止片５５と上部開口５６との係止状態が安定的に保持される。
【００２７】
また、カップホルダ１に細缶Ｄ１が保持される際には、図７Ｃに示すように、ガイド溝４６に係合するボス４３は段部７１を超えて更に上方へ移動する。このとき、プッシュアーム３１は、回動アーム３６の動きに連動して回動アーム３６と反対方向に回動し、その背面３１ａがケース２の前部開口２ａの上部に当接する。これにより、回動アーム３６の更なる回動が規制され、その傾斜角度が適切な位置に保持される。また、このとき、図７Ｂの場合と同様に、摺動アーム３９が図７Ａに示す初期位置から前方の係止保持位置に移動する。これにより、係止部材５１の凸部７５に係止保持片５８が当接することで、係止片５５の下方への弾性変形が阻止され、係止片５５と上部開口５６との係止状態が安定的に保持される。
【００２８】
トレー３から飲料容器が取り出されると、圧縮コイルばね５３の付勢力によって、回動アーム３６は再び図７Ａに示す水平状態に戻る。このとき、摺動アーム３９も係止解除位置まで後方に移動する。これにより、係止部材５１の凸部７５は、係止保持片５８の当接が解除されて、係止保持片５８の前方に設けられた凹部７６内に位置することとなり、係止片５５の下方への弾性変形が許容された状態となる。この状態からユーザがトレー３を更に前方に引き出すことで、図８に示すように、係止片５５が下方に弾性変形し、上部開口５６との係止状態が解除される。
【００２９】
なお、係止部材５１の凸部７５の下面（当接面）７５ａが前下方に傾斜した形状を有するとともに、係止保持部材５２の係止保持片５８の上面（当接面）５８ａが後上方に傾斜した形状を有することで、凸部７５と係止保持片５８との当接およびその解除が容易となる。
【００３０】
このように、カップホルダ１に飲料容器が保持された状態では、飲料容器の外径にかかわらず、係止部材５１のケース２への係止状態が係止保持部材５２により安定的に保持される。従って、トレー３のケース２からの脱落が確実に防止される。一方、カップホルダ１に飲料容器が保持されない状態では、ユーザは、使用位置にあるトレー３を手前に引き出すことで、ケース２から容易にトレー３を取り外すことができる。その場合、所定の治具で、上部開口５６から係止片５５を下方に押圧することで、係止片５５と上部開口５６との係止状態の解除がより容易となる。
【００３１】
より詳細には、回動アーム３６のボス４３と係合する略弓状のガイド溝４６を摺動アーム３９の前端に設けることで、回動アーム３６の回動にともなって摺動アーム３９を適切に摺動（前後移動）させることが可能となり、飲料容器の外径にかかわらず係止部材５１のケース２への係止状態を係止保持部材５２により安定的に保持させることが可能となる。特に、ボス４３を係止可能な段部７１を、ガイド溝４６の前壁４６ａ中間部に設けることによって、太缶Ｄ２を保持する際の回動アーム３６の傾斜角度（即ち、摺動アーム３９の位置）が適切に保持され、これにより、細缶Ｄ１のみならず太缶Ｄ２を保持する際にも係止部材５１の凸部７５に対して係止保持片５８を確実に当接させることが可能となる。さらに、ガイド溝４６に段部７１を設けることによって、ボス４３とガイド溝４３との係合位置が、初期位置（図７Ａ参照）、第１の係止保持位置（図７Ｂ参照）および第２の係止保持位置（図７Ｃ参照）の間を移動する際に、ラチェット音を発生させることが可能となり、ユーザがカップホルダの動作状況を容易に把握することができるという利点もある。
【００３２】
本発明を特定の実施形態に基づいて詳細に説明したが、上記実施形態はあくまでも例示であって本発明はこれらの実施形態によって限定されるものではない。例えば、実施形態では、トレーが保持されるベースハウジング（取付ベース）としてのケースを示したが、ケースの構成やその設置対象は種々の変更が可能である。ベースハウジングを設置対象（例えば、車室内のインストルメントパネル）と一体形成してもよい。
【図面の簡単な説明】
【００３３】
【図１】本発明に係るカップホルダの使用状態を示す斜視図
【図２】本発明に係るカップホルダの使用状態を示す斜視図
【図３】カップホルダの要部の分解斜視図
【図４】使用状態にあるカップホルダにおける支持リンク機構の斜視図
【図５】カップホルダにおける摺動アームの接続部の平面図
【図６Ａ】カップホルダの支持リンク機構の動作を示す側面図
【図６Ｂ】カップホルダの支持リンク機構の動作を示す側面図
【図６Ｃ】カップホルダの支持リンク機構の動作を示す側面図
【図７Ａ】図６Ａに対応する脱落防止機構の動作を示す断面図
【図７Ｂ】図６Ｂに対応する脱落防止機構の動作を示す断面図
【図７Ｃ】図６Ｃに対応する脱落防止機構の動作を示す断面図
【図８】トレーの取り外し動作を示す断面図
【符号の説明】
【００３４】
１  カップホルダ
２  ケース
３  トレー
４  支持リンク機構
１５  保持開口
１７  コンストンばね
２５  ダンパ
２８  ラック
３１  プッシュアーム
３５  受け部材
３６  回動アーム
３８  回動軸
３９  摺動アーム
４３  ボス
４６  ガイド溝
５１  係止部材
５２  係止保持部材
５３  圧縮コイルばね
５５  係止片
５８  係止保持部材
６１  フラップ
６２  連結片
７１  段部
７５  凸部
７６  凹部
Ｄ１，Ｄ２  飲料容器
【図１】
2010012888.tif 000003
【図２】
2010012888.tif 000004
【図３】
2010012888.tif 000005
【図４】
2010012888.tif 000006
【図５】
2010012888.tif 000007
【図６Ａ】
2010012888.tif 000008
【図６Ｂ】
2010012888.tif 000009
【図６Ｃ】
2010012888.tif 000010
【図７Ａ】
2010012888.tif 000011
【図７Ｂ】
2010012888.tif 000012
【図７Ｃ】
2010012888.tif 000013
【図８】
2010012888.tif 000014